(57)【要約】【課題】光パワー測定機能と心線対照機能とを一体化することで、作業時の利便性を向上するとともに、コスト削減に寄与することができる。【解決手段】コネクタアダプタ１７からの光信号が受光素子１９に受光された場合に、切替スイッチＳＷ１が接点ｃに切り替えられたときに、受光素子１９からの電気信号に基づいて光信号のパワーを計測することでパワー演算機能（増幅回路３１、フィルタ回路３３、Ａ／Ｄ変換器３５、測定値演算回路３７、表示回路３９）を実現する。一方、曲げ付与器４３からの光信号が受光素子１９に受光された場合に、切替ＳＷ１が接点ｂに切り替えられたときに、受光素子１９からの電気信号の強度が所定の基準値よりも大きいときに心線として判定することで心線対照機能（増幅回路２１、フィルタ回路２３、レベル比較器２５、判定回路２７、表示回路２９）を実現する。【選択図】　　　図１
2004132846.tif 000002
【特許請求の範囲】
【請求項１】
光ファイバの端部に接続する光ファイバ接続手段と、
光ファイバの一部に曲げを付与する曲げ付与手段と、
前記光ファイバ接続手段又は前記曲げ付与手段の何れか１つを介して入射される光信号を受光して光電変換する受光手段と、
前記受光手段からの電気信号を第１又は第２の接点に切り替えて接続する切替手段とを備え、
前記光ファイバ接続手段からの光信号が前記受光手段に受光された場合に、前記切替手段が第１の接点に切り替えられたときに、前記受光手段からの電気信号に基づいて前記光信号のパワーを計測する光パワー計測手段と、
前記曲げ付与手段からの光信号が前記受光手段に受光された場合に、前記切替手段が第２の接点に切り替えられたときに、前記受光手段からの電気信号の強度が所定の基準値よりも大きいときに心線として判定する心線対照手段とを備えたことを特徴とする光測定装置。
【請求項２】
光ファイバの端部に接続する光ファイバ接続手段と、
光ファイバの一部に曲げを付与する曲げ付与手段と、
前記光ファイバ接続手段又は前記曲げ付与手段の何れか１つを介して入射される光信号を受光して光電変換する受光手段と、
２つの処理モードのうち何れか１つを実行するように切替る切替手段と、
前記光ファイバ接続手段からの光信号が前記受光手段に受光された場合に、前記切替手段が第１のモードに切り替えられたときに、前記受光手段からの電気信号に基づいて前記光信号のパワーを計測するパワー演算処理を実行し、前記曲げ付与手段からの光信号が前記受光手段に受光された場合に、前記切替手段が第２のモードに切り替えられたときに、前記電気信号の強度が所定の基準値よりも大きいときに心線として判定する心線対照処理を実行する演算手段とを備えたことを特徴とする光測定装置。
【請求項３】
前記切替手段は、
前記光ファイバ接続手段が接続されていることを検出するスイッチと、
前記曲げ付与手段が接続されていることを検出するスイッチとを備えたことを特徴とする請求項２記載の光測定装置。
【発明の詳細な説明】
【０００１】
【発明の属する技術分野】
本発明は、光パワー測定機能と心線対照機能とを一体化して有する光測定装置に関する。
【０００２】
【従来の技術】
従来、光ファイバを測定対象とした光測定装置にあっては、光パワー測定装置や心線対照装置が知られている。
光パワー測定装置は、光ファイバの敷設や保守等の作業時に光ファイバの損失を確認するために利用される。
【０００３】
また、心線対照装置は、光ファイバの敷設や保守等の作業を行う場合に、光ファイバに曲げを加え、その曲げ部位から僅かに漏れてくる信号光を検出することで、非破壊で特定の光ファイバであるか否かを判定するために利用される。このような心線対照装置としては、特許文献１に記載されている。
【０００４】
【特許文献１】
特願２００１−３７４４４９
【０００５】
【発明が解決しようとする課題】
しかしながら、従来の光パワー測定装置や心線対照装置を用いて光ファイバの敷設や保守等の作業を行う場合、作業者は光パワー測定装置と心線対照装置をそれぞれ１つずつ用意する必要が生じてしまう。
このため、光パワー測定装置と心線対照装置を一体化した光測定装置の提案が要望されていた。
【０００６】
本発明は、上記に鑑みてなされたもので、その目的としては、光パワー測定機能と心線対照機能とを一体化することで、作業時の利便性を向上するとともに、コスト削減に寄与することができる光測定装置を提供することにある。
【０００７】
【課題を解決するための手段】
請求項１記載の発明は、上記課題を解決するため、光ファイバの端部に接続する光ファイバ接続手段と、光ファイバの一部に曲げを付与する曲げ付与手段と、前記光ファイバ接続手段又は前記曲げ付与手段の何れか１つを介して入射される光信号を受光して光電変換する受光手段と、前記受光手段からの電気信号を第１又は第２の接点に切り替えて接続する切替手段とを備え、前記光ファイバ接続手段からの光信号が前記受光手段に受光された場合に、前記切替手段が第１の接点に切り替えられたときに、前記受光手段からの電気信号に基づいて前記光信号のパワーを計測する光パワー計測手段と、前記曲げ付与手段からの光信号が前記受光手段に受光された場合に、前記切替手段が第２の接点に切り替えられたときに、前記受光手段からの電気信号の強度が所定の基準値よりも大きいときに心線として判定する心線対照手段とを備えたことを要旨とする。
【０００８】
請求項２記載の発明は、上記課題を解決するため、光ファイバの端部に接続する光ファイバ接続手段と、光ファイバの一部に曲げを付与する曲げ付与手段と、前記光ファイバ接続手段又は前記曲げ付与手段の何れか１つを介して入射される光信号を受光して光電変換する受光手段と、２つの処理モードのうち何れか１つを実行するように切替る切替手段と、前記光ファイバ接続手段からの光信号が前記受光手段に受光された場合に、前記切替手段が第１のモードに切り替えられたときに、前記受光手段からの電気信号に基づいて前記光信号のパワーを計測するパワー演算処理を実行し、前記曲げ付与手段からの光信号が前記受光手段に受光された場合に、前記切替手段が第２のモードに切り替えられたときに、前記電気信号の強度が所定の基準値よりも大きいときに心線として判定する心線対照処理を実行する演算手段とを備えたことを要旨とする。
【０００９】
請求項３記載の発明は、上記課題を解決するため、前記切替手段は、前記光ファイバ接続手段が接続されていることを検出するスイッチと、前記曲げ付与手段が接続されていることを検出するスイッチとを備えたことを要旨とする。
【００１０】
【発明の実施の形態】
以下、本発明の実施の形態を図面を参照して説明する。
（第１の実施の形態）
図１，図２は、本発明の第１の実施の形態に係る光測定装置の一構成例を示す図である。
【００１１】
図１に示すように、光測定装置には、本体装置１１に設けられた接続部（図示しない）に対して着脱自在なコネクタアダプタ１７が装着されている。このコネクタアダプタ１７には、光ファイバ１３の端部に設けられた光コネクタ１５が接続されており、光ファイバ１３を伝播した光信号は光コネクタ１５から受光素子１９に入射される。
【００１２】
次に、図２に示すように、光測定装置には、本体装置１１に設けられた接続部（図示しない）に対して着脱自在な曲げ付与器４３が装着されている。この曲げ付与器４３には、光ファイバ４１の一部が曲げられて挟まれており、光ファイバ４１を伝播した光信号は曲げ部位４１ａから受光素子１９に入射される。
【００１３】
以下、図１，図２を参照して、光測定装置の本体装置１１の構成について詳細に説明する。
受光素子１９は、例えばフォトダイオードやフォトランジスタからなり、上述した接続部（図示しない）に装着されたコネクタアダプタ１７又は曲げ付与器４１の何れか１つを介して入射される光信号を受光して電流信号に光電変換して切替スイッチＳＷ１の端子ａに出力する。
【００１４】
切替スイッチＳＷ１は、端子ａ、接点ｂ、接点ｃが設けられており、図２に示すように、スイッチ操作に応じて端子ａ−接点ｂが接続された場合には、増幅回路２１、フィルタ回路２３、レベル比較器２５、判定回路２７、表示回路２９から構成される心線対照部により心線対照機能が実行される。
【００１５】
上述した心線対照部を構成する増幅回路２１は、受光素子１９から切替スイッチＳＷ１を介して流れ込んでくる電流信号を例えば抵抗を用いて電流−電圧変換し、予め設定されている増幅率によりこの電圧信号を増幅してフィルタ回路２３に出力する。
【００１６】
フィルタ回路２３は、バンドパスフィルタからなり、増幅回路２１から出力される電圧信号に含まる特定の周波数帯域の信号を通過させてレベル比較器２５に出力する。レベル比較器２５は、フィルタ回路２３からの電圧信号が予め設定された基準電圧値Ｖｒｅｆ　よりも大きくなったときに比較結果として「１」を、電圧信号が基準電圧値Ｖｒｅｆ　よりも低いときに「０」を判定回路２７に出力する。
【００１７】
判定回路２７は、レベル比較器２５から出力される比較結果に対して、「１」が例えば０．５ｓｅｃ間以上連続したときに対照光があると判定して「対照光あり」を表すキャラクタコードを表示回路２９に出力する。表示回路２９は、ドライバ回路と液晶表示板を有し、判定回路２７から「対照光あり」を表すキャラクタコードを受け取ったときに、当該キャラクタコードを「対照光あり」という文字データに展開して表示する。
【００１８】
一方、図１に示すように、切替スイッチＳＷ１のスイッチ操作に応じて端子ａ−接点ｃが接続された場合には、増幅回路３１、フィルタ回路３３、Ａ／Ｄ変換器３５、測定値演算回路３７、表示回路３９から構成されているパワー演算部によりパワー演算機能が実行される。
【００１９】
上述したパワー演算部を構成する増幅回路３１は、受光素子１９から切替スイッチＳＷ１を介して流れ込んでくる電流信号を例えば抵抗を用いて電流−電圧変換し、測定値演算回路３７により制御されている増幅率によりこの電圧信号を増幅してフィルタ回路３３に出力する。
【００２０】
フィルタ回路３３は、フィルタ特性を切り替えるためのスイッチＳＷ２を有し、このスイッチＳＷ２がＯＮのときに２７０Ｈｚを通過周波数に持つバンドパスフィルタになり、このスイッチＳＷ２がＯＦＦのときにＣＷ信号を通過可能なローパスフィルタからなり、増幅回路３１から出力される電圧信号に含まる特定の周波数帯域の信号を通過させてＡ／Ｄ変換器３５に出力する。
【００２１】
Ａ／Ｄ変換器３５は、例えば１２〜１３ｂｉｔの分解能を有し、フィルタ回路３３から出力される電圧信号を電圧値データにＡ／Ｄ変換して測定値演算回路３７に出力する。測定値演算回路３７は、Ａ／Ｄ変換器３５から出力される電圧値データの値に応じて増幅回路３１に与える増幅率を変更し、Ａ／Ｄ変換器３５から出力される電圧値データの値が規定範囲に入るように制御するとともに、電圧値データに基づいて光信号のパワー値を演算してパワー値を表すキャラクタコードを表示回路３９に出力する。
【００２２】
表示回路３９は、ドライバ回路（図示しない）と液晶表示板（図示しない）を有し、測定値演算回路３７からパワー値を表すキャラクタコードを受け取ったときに、当該キャラクタコードを例えば「０．７７ｄＢｍ」という文字データに展開して表示する。
【００２３】
次に、図１，図２に示す光測定装置の動作について説明する。
（１）パワー演算機能
まず、図１に示すように、本体装置１１に設けられた接続部（図示しない）に対してコネクタアダプタ１７が装着されたこととする。
【００２４】
次いで、切替スイッチＳＷ１が操作され端子ａ−接点ｃが接続されたこととする。この場合、増幅回路３１、フィルタ回路３３、Ａ／Ｄ変換器３５、測定値演算回路３７、表示回路３９から構成されているパワー演算部によりパワー演算機能が実行可能になる。次いで、光ファイバ１３の端部に設けられた光コネクタ１５がコネクタアダプタ１７に接続されたこととする。
【００２５】
ここで、光ファイバ１３を伝播した光信号は、光コネクタ１５から受光素子１９に入射され、受光素子１９で光電変換されて電流信号が切替スイッチＳＷ１の端子ａ−接点ｃ間を介して増幅回路３１に入力される。
増幅回路３１では、受光素子１９から切替スイッチＳＷ１を介して流れ込んでくる電流信号を例えば抵抗を用いて電流−電圧変換し、測定値演算回路３７により制御されている増幅率によりこの電圧信号を増幅してフィルタ回路３３に出力する。
【００２６】
フィルタ回路３３は、フィルタ特性を切り替えるためのスイッチＳＷ２がＯＮの場合には、２７０Ｈｚを通過周波数に持つバンドパスフィルタになっており、このスイッチＳＷ２がＯＦＦの場合には、ＣＷ信号を通過可能なローパスフィルタになっている。フィルタ回路３３では、増幅回路３１から出力される電圧信号に含まる特定の周波数帯域の信号を通過させてＡ／Ｄ変換器３５に出力する。
【００２７】
次いで、Ａ／Ｄ変換器３５では、フィルタ回路３３から出力される電圧信号を電圧値データにＡ／Ｄ変換して測定値演算回路３７に出力する。次いで、測定値演算回路３７では、Ａ／Ｄ変換器３５から出力される電圧値データの値に応じて増幅回路３１に与える増幅率を変更し、Ａ／Ｄ変換器３５から出力される電圧値データの値が規定範囲に入るように制御するとともに、電圧値データに基づいて光信号のパワー値を演算してパワー値を表すキャラクタコードを表示回路３９に出力する。
【００２８】
次いで、表示回路３９では、測定値演算回路３７からパワー値を表すキャラクタコードを受け取ったときに、ドライバ回路により当該キャラクタコードを例えば「０．７７ｄＢｍ」という文字データに展開して液晶表示板に表示する。
【００２９】
（２）心線対照機能
まず、図２に示すように、本体装置１１に設けられた接続部（図示しない）に対して曲げ付与器４３が装着されたこととする。
次いで、切替スイッチＳＷ１が操作され端子ａ−接点ｂが接続されたこととする。この場合、増幅回路２１、フィルタ回路２３、レベル比較器２５、判定回路２７、表示回路２９から構成される心線対照部により心線対照機能が実行可能となる。次いで、光ファイバ４１の一部が曲げ付与器４３により挟まれて曲げられたこととする。
【００３０】
ここで、光ファイバ４１を伝播した光信号は、曲げ部位４１ａから受光素子１９に入射され、受光素子１９で光電変換されて電流信号が切替スイッチＳＷ１の端子ａ−接点ｂ間を介して増幅回路２１に入力される。
増幅回路２１では、受光素子１９から切替スイッチＳＷ１を介して流れ込んでくる電流信号を例えば抵抗を用いて電流−電圧変換し、予め設定されている増幅率によりこの電圧信号を増幅してフィルタ回路２３に出力する。
【００３１】
フィルタ回路２３では、増幅回路２１から出力される電圧信号に含まる特定の周波数帯域の信号を通過させてレベル比較器２５に出力する。レベル比較器２５では、フィルタ回路２３からの電圧信号が予め設定された基準電圧値Ｖｒｅｆ　よりも大きくなったときに比較結果として「１」を、電圧信号が基準電圧値Ｖｒｅｆ　よりも低いときに「０」を判定回路２７に出力する。
【００３２】
判定回路２７では、レベル比較器２５から出力される比較結果に対して、「１」が例えば０．５ｓｅｃ間以上連続したときに対照光があると判定して「対照光あり」を表すキャラクタコードを表示回路２９に出力する。表示回路２９では、判定回路２７から「対照光あり」を表すキャラクタコードを受け取ったときに、ドライバ回路により当該キャラクタコードを「対照光あり」という文字データに展開して液晶表示板に表示する。
【００３３】
このように、本体装置１１にコネクタアダプタ１７を装着して切替スイッチを操作すればパワー演算機能を実現することができる一方、本体装置１１に曲げ付与器４３を装着して切替スイッチを操作すれば心線対照機能を実現することができるので、光パワー測定機能と心線対照機能とを１つの装置に一体化することができ、光ファイバの敷設・保守等を行う場合に、作業時の利便性を向上するとともに、コスト削減に寄与することができる。
【００３４】
（第２の実施の形態）
図３，図４は、本発明の第２の実施の形態に係る光測定装置の一構成例を示す図である。
図２に示すように、光測定装置には、本体装置５１に設けられた接続部（図示しない）に対して着脱自在なコネクタアダプタ１７が装着されている。このコネクタアダプタ１７には、光ファイバ１３の端部に設けられた光コネクタ１５が接続されており、光ファイバ１３を伝播した光信号は光コネクタ１５から受光素子１９に入射される。
【００３５】
次に、図２に示すように、光測定装置には、本体装置１１に設けられた接続部（図示しない）に対して着脱自在な曲げ付与器４３が装着されている。この曲げ付与器４３には、光ファイバ４１の一部が曲げられて挟まれており、光ファイバ４１を伝播した光信号は曲げ部位４１ａから受光素子１９に入射される。
【００３６】
以下、図３，図４を参照して、光測定装置の本体装置５１の構成について詳細に説明する。
受光素子１９は、例えばフォトダイオードやフォトランジスタからなり、上述した接続部（図示しない）に装着されたコネクタアダプタ１７又は曲げ付与器４１の何れか１つを介して入射される光信号を受光して電流信号に光電変換して増幅回路５３に出力する。
【００３７】
増幅回路２１は、受光素子１９から流れ込んでくる電流信号を例えば抵抗を用いて電流−電圧変換し、演算回路５９により設定されている増幅率によりこの電圧信号を増幅してフィルタ回路５５に出力する。
【００３８】
フィルタ回路５５は、フィルタ特性を切り替えるための切替信号が演算回路５９から与えられており、この切替信号が「１」のときに２７０Ｈｚを通過周波数に持つバンドパスフィルタになり、この切替信号が「０」のときにＣＷ信号を通過可能なローパスフィルタからなり、増幅回路５５から出力される電圧信号に含まる特定の周波数帯域の信号を通過させてＡ／Ｄ変換器５７に出力する。
【００３９】
Ａ／Ｄ変換器５７は、例えば１２〜１３ｂｉｔの分解能を有し、フィルタ回路５５から出力される電圧信号を電圧値データにＡ／Ｄ変換して演算回路５９に出力する。
スイッチＳＷ３が演算回路５９に接続されており、スイッチＳＷ３の端子ａ−接点ｂ間が接続されて「１」（ハイレベル）が演算回路５９に入力されている場合には、演算回路５９はパワー演算機能を実行する。また、スイッチＳＷ３の端子ａ−接点ｃ間が接続されて「０」（ローレベル）が演算回路５９に入力されている場合には、演算回路５９は心線対照機能を実行する。
【００４０】
また、演算回路５９は、Ａ／Ｄ変換器５７から出力される電圧値データの値に応じて増幅回路５３に与える増幅率を変更し、Ａ／Ｄ変換器５７から出力される電圧値データの値が規定範囲に入るように制御するとともに、スイッチＳＷ３から「１」が入力されている場合には、パワー演算機能として、電圧値データに基づいて光信号のパワー値を演算してパワー値を表すキャラクタコードを表示回路６１に出力する。
【００４１】
また、演算回路５９は、スイッチＳＷ３から「０」が入力されている場合には、心線対照機能として、Ａ／Ｄ変換器５７から出力される電圧値データの値が予め設定された基準電圧値Ｖｒｅｆ　よりも大きくなったときに比較結果として「１」を、電圧値データが基準電圧値Ｖｒｅｆ　よりも低いときに「０」を比較結果として生成し、この比較結果に対して、「１」が例えば０．５ｓｅｃ間以上連続したときに対照光があると判定して「対照光あり」を表すキャラクタコードを表示回路２９に出力する。
【００４２】
表示回路３９は、ドライバ回路（図示しない）と液晶表示板（図示しない）を有し、演算回路５９からキャラクタコードを受け取って当該キャラクタコードを文字データに展開して表示する。
【００４３】
次に、図３，図４に示す光測定装置の動作について説明する。
（１）パワー演算機能
まず、図３に示すように、本体装置５１に設けられた接続部（図示しない）に対してコネクタアダプタ１７が装着されたこととする。
【００４４】
同時に、スイッチＳＷ３の端子ａ−接点ｂ間が接続されて「１」が演算回路５９に入力され、演算回路５９がパワー演算機能に設定されていることとする。
【００４５】
ここで、光ファイバ１３を伝播した光信号は、光コネクタ１５から受光素子１９に入射され、受光素子１９で光電変換されて電流信号が増幅回路５３に入力される。
【００４６】
増幅回路５３では、受光素子１９から流れ込んでくる電流信号を例えば抵抗を用いて電流−電圧変換し、演算回路５９により制御されている増幅率によりこの電圧信号を増幅してフィルタ回路５５に出力する。
フィルタ回路５５では、増幅回路５３から出力される電圧信号に含まる特定の周波数帯域の信号を通過させてＡ／Ｄ変換器５７に出力する。
【００４７】
次いで、Ａ／Ｄ変換器５７では、フィルタ回路５５から出力される電圧信号を電圧値データにＡ／Ｄ変換して演算回路５９に出力する。
【００４８】
次いで、演算回路５９では、Ａ／Ｄ変換器５７から出力される電圧値データの値に応じて増幅回路５３に与える増幅率を変更し、Ａ／Ｄ変換器５７から出力される電圧値データの値が規定範囲に入るように制御する。そして、スイッチＳＷ３から「１」が入力されているので、パワー演算機能として、電圧値データに基づいて光信号のパワー値を演算してパワー値を表すキャラクタコードを表示回路６１に出力する。
【００４９】
次いで、表示回路６１では、演算回路５９からパワー値を表すキャラクタコードを受け取ったときに、ドライバ回路により当該キャラクタコードを例えば「０．７７ｄＢｍ」という文字データに展開して液晶表示板に表示する。
【００５０】
（２）心線対照機能
まず、図４に示すように、本体装置５１に設けられた接続部（図示しない）に対して曲げ付与器４３が装着されたこととする。
同時に、スイッチＳＷ３の端子ａ−接点ｃ間が接続されて「０」が演算回路５９に入力され、演算回路５９が心線対照機能に設定されていることとする。
【００５１】
ここで、光ファイバ１３を伝播した光信号は、光コネクタ１５から受光素子１９に入射され、受光素子１９で光電変換されて電流信号が増幅回路５３に入力される。
増幅回路５３では、受光素子１９から流れ込んでくる電流信号を例えば抵抗を用いて電流−電圧変換し、演算回路５９により制御されている増幅率によりこの電圧信号を増幅してフィルタ回路５５に出力する。
【００５２】
フィルタ回路５５では、増幅回路５３から出力される電圧信号に含まる特定の周波数帯域の信号を通過させてＡ／Ｄ変換器５７に出力する。
次いで、Ａ／Ｄ変換器５７では、フィルタ回路５５から出力される電圧信号を電圧値データにＡ／Ｄ変換して演算回路５９に出力する。
【００５３】
次いで、演算回路５９では、Ａ／Ｄ変換器５７から出力される電圧値データの値に応じて増幅回路５３に与える増幅率を変更し、Ａ／Ｄ変換器５７から出力される電圧値データの値が規定範囲に入るように制御する。そして、スイッチＳＷ３から「０」が入力されているので、心線対照機能として、Ａ／Ｄ変換器５７から出力される電圧値データの値が予め設定された基準電圧値Ｖｒｅｆ　よりも大きくなったときに比較結果として「１」を、電圧値データが基準電圧値Ｖｒｅｆ　よりも低いときに「０」を比較結果として生成し、この比較結果に対して、「１」が例えば０．５ｓｅｃ間以上連続したときに対照光があると判定して「対照光あり」を表すキャラクタコードを表示回路２９に出力する。
【００５４】
次いで、表示回路６１では、演算回路５９から「対照光あり」を表すキャラクタコードを受け取ったときに、ドライバ回路により当該キャラクタコードを「対照光あり」という文字データに展開して液晶表示板に表示する。
【００５５】
このように、本体装置５１にコネクタアダプタ１７を装着して切替スイッチＳＷ３を操作すればパワー演算機能を実現することができる一方、本体装置５１に曲げ付与器４３を装着して切替スイッチＳＷ３を操作すれば心線対照機能を実現することができるので、光パワー測定機能と心線対照機能とを１つの装置に一体化することができ、光ファイバの敷設・保守等を行う場合に、作業時の利便性を向上することができる。また、光パワー測定機能と心線対照機能と実現するための各回路を共用することができるので、コスト削減に寄与することができる。
【００５６】
（第３の実施の形態）
図５，図６は、本発明の第３の実施の形態に係る光測定装置の一構成例を示す図である。なお、第３の本実施の形態では、全体構成は、図３，図４に示す全体構成とほぼ同様であり、同様の構成については、その説明を省略する。
【００５７】
第３の実施の形態における特徴は、第２の実施の形態において備えられていたスイッチＳＷ３に代わって、スイッチＳＷ４，ＳＷ５を本体装置７１に備え、さらに、コネクタアダプタ１７に突起部１７ａを、曲げ付与部４３に突起部４３ａを備えたことにある。
【００５８】
すなわち、本体装置７１に設けられた接続部（図示しない）は、コネクタアダプタ１７を本体装置７１に装着したときには突起部１７ａがスイッチＳＷ４の凹形状の位置に当接するように機構的に構成され、曲げ付与部４３を本体装置７１に装着したときには突起部４３ａがスイッチＳＷ５の凹形状の位置に当接するように機構的に構成されている。
【００５９】
また、スイッチＳＷ４は、マイクロスイッチからなり、コネクタアダプタ１７に設けられた突起部１７ａがスイッチＳＷ４の凹形状の位置に当接したときに、当該マイクロスイッチに設けられた接点がＯＮし、「０」（ローレベル）がスイッチＳＷ４の接点を介して演算回路５９に入力される。なお、図５に示すＲ１はプルアップ抵抗であり、スイッチＳＷ４の接点がオープン状態のときに演算回路５９に「１」（ハイレベル）を出力する。
【００６０】
さらに、スイッチＳＷ５は、マイクロスイッチからなり、曲げ付与部４３に設けられた突起部４３ａがスイッチＳＷ５の凹形状の位置に当接したときに、当該マイクロスイッチに設けられた接点がＯＮし、「０」（ハイレベル）がスイッチＳＷ５の接点を介して演算回路５９に入力される。なお、図６に示すＲ２はプルアップ抵抗であり、スイッチＳＷ５の接点がオープン状態のときに演算回路５９に「１」（ハイレベル）を出力する。
【００６１】
次に、図５，図６に示す光測定装置の動作について説明する。
（１）パワー演算機能
まず、図５に示すように、本体装置７１に設けられた接続部（図示しない）に対してコネクタアダプタ１７が装着されたこととする。
【００６２】
コネクタアダプタ１７が本体装置７１の装着された場合、コネクタアダプタ１７に設けられた突起部１７ａがスイッチＳＷ４の凹形状の位置に当接し、スイッチＳＷ４をなすマイクロスイッチに設けられた接点がＯＦＦ状態からＯＮ状態に変化し、「１」（ハイレベル）状態から「０」（ローレベル）状態に移行して演算回路５９に入力される。
【００６３】
この結果、演算回路５９はパワー演算機能に切り替る。以下、第２の実施の形態において説明した（１）パワー演算機能と同様であるので、その説明を省略する。
【００６４】
（２）心線対照機能
次に、図６に示すように、本体装置７１に設けられた接続部（図示しない）に対して曲げ付与部４３が装着されたこととする。
曲げ付与部４３が本体装置７１の装着された場合、曲げ付与部４３に設けられた突起部４３ａがスイッチＳＷ５の凹形状の位置に当接し、スイッチＳＷ５をなすマイクロスイッチに設けられた接点がＯＦＦ状態からＯＮ状態に変化し、「１」（ハイレベル）状態から「０」（ローレベル）状態に移行して演算回路５９に入力される。
【００６５】
この結果、演算回路５９は心線対照機能に切り替る。以下、第２の実施の形態において説明した（２）心線対照機能と同様であるので、その説明を省略する。このように、本体装置７１にコネクタアダプタ１７を装着したときにスイッチＳＷ４がＯＮ操作されるので、コネクタアダプタ１７の装着のみでパワー演算機能を実現することができる。一方、本体装置５１に曲げ付与器４３を装着したときにスイッチＳＷ５がＯＮ操作されるので、曲げ付与器４３の装着のみで心線対照機能を実現することができる。そして、光パワー測定機能と心線対照機能とを１つの装置に一体化することができ、光ファイバの敷設・保守等を行う場合に、作業時の利便性を向上することができる。また、光パワー測定機能と心線対照機能と実現するための各回路を共用することができるので、コスト削減に寄与することができる。
【００６６】
【発明の効果】
請求項１記載の本発明によれば、光ファイバ接続手段からの光信号が受光手段に受光された場合に、切替手段が第１の接点に切り替えられたときに、受光手段からの電気信号に基づいて光信号のパワーを計測することでパワー演算機能を実現することができる一方、曲げ付与手段からの光信号が受光手段に受光された場合に、切替手段が第２の接点に切り替えられたときに、受光手段からの電気信号の強度が所定の基準値よりも大きいときに心線として判定することで心線対照機能を実現することができるので、光パワー測定機能と心線対照機能とを１つの装置に一体化することができ、光ファイバの敷設・保守等を行う場合に、作業時の利便性を向上するとともに、コスト削減に寄与することができる。
【００６７】
請求項２記載の本発明によれば、光ファイバ接続手段からの光信号が受光手段に受光された場合に、切替手段が第１のモードに切り替えられたときに、受光手段からの電気信号に基づいて光信号のパワーを計測するパワー演算処理を実行し、一方、曲げ付与手段からの光信号が受光手段に受光された場合に、切替手段が第２のモードに切り替えられたときに、電気信号の強度が所定の基準値よりも大きいときに心線として判定する心線対照処理を実行するので、光パワー測定機能と心線対照機能とを１つの装置に一体化することができ、光ファイバの敷設・保守等を行う場合に、作業時の利便性を向上するとともに、コスト削減に寄与することができる。
【図面の簡単な説明】
【図１】本発明の第１の実施の形態に係る光測定装置の一構成例を示す図（その１）である。
【図２】本発明の第１の実施の形態に係る光測定装置の一構成例を示す図（その２）である。
【図３】本発明の第２の実施の形態に係る光測定装置の一構成例を示す図（その１）である。
【図４】本発明の第２の実施の形態に係る光測定装置の一構成例を示す図（その２）である。
【図５】本発明の第３の実施の形態に係る光測定装置の一構成例を示す図（その１）である。
【図６】本発明の第３の実施の形態に係る光測定装置の一構成例を示す図（その２）である。
【符号の説明】
１１，５１，７１　本体装置
１７　コネクタアダプタ
１３，４１　光ファイバ
１５　光コネクタ
１９　受光素子
４３　曲げ付与器
２１，３１，５３　増幅回路
２３，３３，５５　フィルタ回路
２５　レベル比較器
２７　判定回路
２９，３９，６１　表示回路
３５，５７　Ａ／Ｄ変換器
３７　測定値演算回路
５９　演算回路
ＳＷ１　切替スイッチ
ＳＷ２，ＳＷ３，ＳＷ４，ＳＷ５　スイッチ
【図１】
2004132846.tif 000003
【図２】
2004132846.tif 000004
【図３】
2004132846.tif 000005
【図４】
2004132846.tif 000006
【図５】
2004132846.tif 000007
【図６】
2004132846.tif 000008